(57)【要約】  表示部の選択状態に応じて、容易に、ソフトウェアを用いて表示部に表示された画面を示すデータを生成することが可能な携帯端末装置、画像生成方法及びプログラムが格納された非一時的なコンピュータ可読媒体を提供する。第１表示部（２）及び第２表示部（４）は、画像を表示する。表示制御手段（６）は、１つ以上のソフトウェアを用いて、第１表示部（２）及び第２表示部（４）の少なくとも１つにコンテンツを表示させる。選択手段（８）は、第１表示部（２）及び第２表示部（４）のうちの１つ以上を選択する。表示画面取得手段（１０）は、選択手段（８）によって選択された表示部に表示された画面を示す画面データを取得する。画像データ生成手段（１２）は、表示画面取得手段（１０）によって取得された画面データに基づいて、画像データを生成する。
2014136400.tif 000002
【特許請求の範囲】
【請求項１】
画像を表示する複数の表示部と、
１つ以上のソフトウェアを用いて、前記複数の表示部の少なくとも１つにコンテンツを表示させる表示制御手段と、
前記複数の表示部のうちの１つ以上を選択する選択手段と、
前記選択手段によって選択された前記表示部に表示された画面を示す画面データを取得する表示画面取得手段と、
前記表示画面取得手段によって取得された前記画面データに基づいて、画像データを生成する画像データ生成手段と
を有する携帯端末装置。
【請求項２】
使用者による第１の操作を受け付ける操作受付手段
をさらに有し、
前記選択手段は、前記操作受付手段が前記第１の操作を受け付けた回数に応じて、前記複数の表示部のうちの１つ以上を選択する
請求項１に記載の携帯端末装置。
【請求項３】
前記表示制御手段が、複数のソフトウェアを用いて複数の前記表示部にそれぞれコンテンツを表示させている場合、前記選択手段は、前記操作受付手段が前記第１の操作を受け付けた回数に応じて、前記複数の表示部のうちの１つ以上を選択する
請求項２に記載の携帯端末装置。
【請求項４】
前記操作受付手段が、前記第１の操作を受け付けてから予め定められた時間以内に、次の前記第１の操作を受け付けない場合に、前記選択手段は、前記複数の表示部のうちの１つ以上を選択する
請求項２又は３に記載の携帯端末装置。
【請求項５】
使用者による第１の操作を受け付ける操作受付手段
をさらに有し、
前記表示制御手段は、前記操作受付手段が前記第１の操作を受け付けた場合に、前記複数の表示部の少なくとも１つの表示状態を切り替える
請求項１から４のいずれか１項に記載の携帯端末装置。
【請求項６】
前記表示制御手段は、前記操作受付手段が前記第１の操作を受け付けたことに応じて前記複数の表示部の少なくとも１つの表示状態を切り替える場合、前記選択手段によって選択されうる候補となっている前記表示部の表示状態と、前記選択手段によって選択されうる候補となっていない前記表示部の表示状態とが異なるように、前記複数の表示部を制御する
請求項５に記載の携帯端末装置。
【請求項７】
前記複数の表示部の少なくとも１つは、表示手段と入力手段とが一体に構成されており、
前記選択手段は、前記表示部の前記入力手段に操作体が接触したことに応じて、選択されうる候補となる前記表示部を切り替える
請求項１から６のいずれか１項に記載の携帯端末装置。
【請求項８】
前記表示制御手段が、１つのソフトウェアを用いて複数の前記表示部にコンテンツを表示させている場合、前記画像データ生成手段は、前記複数の表示部それぞれに表示された画面を合成して、前記画像データを生成する
請求項１から７のいずれか１項に記載の携帯端末装置。
【請求項９】
前記表示制御手段が、１つのソフトウェアを用いて複数の前記表示部にコンテンツを表示させている場合、前記選択手段は、前記操作受付手段が前記第１の操作を受け付けた回数に応じて、前記複数の表示部のうちの１つ以上を選択し、さらに、前記複数の表示部のうちの２つ以上を選択した場合に、前記画像データ生成手段によって前記選択された２つ以上の表示部それぞれに表示された画面を合成するか否かを選択する
請求項２に記載の携帯端末装置。
【請求項１０】
１つ以上のソフトウェアを用いて、携帯端末装置に設けられた、画像を表示する複数の表示部の少なくとも１つにコンテンツを表示させ、
前記複数の表示部のうちの１つ以上を選択し、
前記選択された前記表示部に表示された画面を示す画面データを取得し、
前記取得された前記画面データに基づいて、画像データを生成する
画像生成方法。
【請求項１１】
使用者による第１の操作を受け付け、
前記第１の操作を受け付けた回数に応じて、前記複数の表示部のうちの１つ以上を選択する
請求項１０に記載の画像生成方法。
【請求項１２】
１つ以上のソフトウェアを用いて、携帯端末装置に設けられた、画像を表示する複数の表示部の少なくとも１つにコンテンツを表示させる表示ステップと、
前記複数の表示部のうちの１つ以上を選択する選択ステップと、
前記選択ステップにおいて選択された前記表示部に表示された画面を示す画面データを取得する表示画面取得ステップと、
前記表示画面取得ステップにおいて取得された前記画面データに基づいて、画像データを生成する画像データ生成ステップと
を前記携帯端末装置のコンピュータに実行させるプログラムが格納された非一時的なコンピュータ可読媒体。
【請求項１３】
使用者による第１の操作を受け付ける操作受付ステップ
を前記携帯端末装置のコンピュータに実行させ、
前記選択ステップにおいて、前記操作受付ステップにおいて前記第１の操作を受け付けた回数に応じて、前記複数の表示部のうちの１つ以上を選択する
請求項１２に記載のプログラムが格納された非一時的なコンピュータ可読媒体。
【発明の詳細な説明】
【技術分野】
【０００１】
本発明は、携帯端末装置、画像生成方法及びプログラムが格納された非一時的なコンピュータ可読媒体に関し、特に、表示された画面を示す画像データを生成する携帯端末装置、画像生成方法及びプログラムが格納された非一時的なコンピュータ可読媒体に関する。
【背景技術】
【０００２】
携帯電話又はスマートフォン等の携帯端末装置の技術において、画面のサイズを拡大することで、使用者の利便性を向上させることができるようになっている。しかしながら、あまりに画面のサイズを拡大させると、携帯端末装置全体のサイズが大きくなってしまい、持ち運びが不便となる可能性がある。そこで、携帯端末装置に複数の画面を設け、折り畳み可能又はスライド可能な構造とすることによって、持ち運びが不便とならないようにすることができる。
一方、スクリーンショット、スクリーンキャプチャ、スクリーンダンプ又はプリントスクリーン等の、表示デバイスに表示された画面を示す画像データを生成し記憶する技術がある。この技術は、携帯電話等においても適用されている。【０００３】
上記の技術に関連し、特許文献１には、第１の表示部に番組コンテンツを表示させ、第２の表示部に、第１の表示部に表示されている番組コンテンツの画像を画像キャプチャ部によりキャプチャするための画像キャプチャボタンを表示させる携帯電話機が開示されている。
また、特許文献２には、第１カメラ部により入力された画像、第２カメラ部により入力された画像、受信された画像の少なくとも１つの画像をキャプチャして静止画像又は動画像として保存部に保存することもでき、複数の画像をキャプチャして１つの画像に合成して保存することもできる携帯端末機が開示されている。
【先行技術文献】
【特許文献】
【０００４】
【特許文献１】国際公開第２００８／０１６０３１号公報
【特許文献２】特開２００７−  ８２２２３号公報
【発明の概要】
【発明が解決しようとする課題】
【０００５】
特許文献１の技術においては、１つの表示部に表示されたコンテンツの画像をキャプチャするのみである。また、特許文献２の技術においては、２つのカメラによって撮影された画像が２つの画面に表示された場合にそれらの画像をキャプチャして１つの画像に合成するのみである。つまり、特許文献１及び特許文献２の技術では、アプリケーションソフトウェアを用いて携帯端末装置の複数の表示部の少なくとも１つにコンテンツが表示された場合に、キャプチャする表示部を選択して、表示された画面を示すデータを生成することは、困難である。【０００６】
本発明の目的は、このような課題を解決するためになされたものであり、表示部の選択状態に応じて、容易に、ソフトウェアを用いて表示部に表示された画面を示すデータを生成することが可能な携帯端末装置、画像生成方法及びプログラムが格納された非一時的なコンピュータ可読媒体を提供することにある。
【課題を解決するための手段】
【０００７】
本発明にかかる携帯端末装置は、画像を表示する複数の表示部と、１つ以上のソフトウェアを用いて、前記複数の表示部の少なくとも１つにコンテンツを表示させる表示制御手段と、前記複数の表示部のうちの１つ以上を選択する選択手段と、前記選択手段によって選択された前記表示部に表示された画面を示す画面データを取得する表示画面取得手段と、前記表示画面取得手段によって取得された前記画面データに基づいて、画像データを生成する画像データ生成手段とを有するものである。【０００８】
本発明にかかる画像生成方法は、１つ以上のソフトウェアを用いて、携帯端末装置に設けられた、画像を表示する複数の表示部の少なくとも１つにコンテンツを表示させ、前記複数の表示部のうちの１つ以上を選択し、前記選択された前記表示部に表示された画面を示す画面データを取得し、前記取得された前記画面データに基づいて、画像データを生成するものである。【０００９】
本発明にかかる非一時的なコンピュータ可読媒体に格納されたプログラムは、１つ以上のソフトウェアを用いて、携帯端末装置に設けられた、画像を表示する複数の表示部の少なくとも１つにコンテンツを表示させる表示ステップと、前記複数の表示部のうちの１つ以上を選択する選択ステップと、前記選択ステップにおいて選択された前記表示部に表示された画面を示す画面データを取得する表示画面取得ステップと、前記表示画面取得ステップにおいて取得された前記画面データに基づいて、画像データを生成する画像データ生成ステップとを前記携帯端末装置のコンピュータに実行させるものである。
【発明の効果】
【００１０】
本発明によれば、表示部の選択状態に応じて、容易に、ソフトウェアを用いて表示部に表示された画面を示すデータを生成することが可能な携帯端末装置、画像生成方法及びプログラムが格納された非一時的なコンピュータ可読媒体を提供できる。
【図面の簡単な説明】
【００１１】
【図１】本発明の実施の形態にかかる携帯端末装置の概要を示す図である。
【図２】実施の形態１にかかる携帯端末装置の外観を示す平面図である。
【図３】実施の形態１にかかる携帯端末装置の構成を示す図である。
【図４】実施の形態１にかかる制御部によって実現される各構成要素を示す図である。
【図５】実施の形態１にかかる処理を示すフローチャートである。
【図６】実施の形態１にかかる処理を示すフローチャートである。
【図７Ａ】実施の形態１にかかる処理を説明するための図である。
【図７Ｂ】実施の形態１にかかる処理を説明するための図である。
【図８】実施の形態１にかかる処理を説明するための図である。
【図９】実施の形態１にかかる処理を説明するための図である。
【図１０Ａ】実施の形態１にかかる処理を説明するための図である。
【図１０Ｂ】実施の形態１にかかる処理を説明するための図である。
【図１１】実施の形態１にかかる処理を説明するための図である。
【図１２Ａ】実施の形態１にかかる処理を説明するための図である。
【図１２Ｂ】実施の形態１にかかる処理を説明するための図である。
【図１２Ｃ】実施の形態１にかかる処理を説明するための図である。
【図１３】実施の形態１にかかる処理を説明するための図である。
【図１４】実施の形態２にかかる処理を示すフローチャートである。
【図１５Ａ】実施の形態２にかかる処理を説明するための図である。
【図１５Ｂ】実施の形態２にかかる処理を説明するための図である。
【図１５Ｃ】実施の形態２にかかる処理を説明するための図である。
【図１６】実施の形態２にかかる処理を説明するための図である。
【図１７Ａ】実施の形態２にかかる処理を説明するための図である。
【図１７Ｂ】実施の形態２にかかる処理を説明するための図である。
【発明を実施するための形態】
【００１２】
［本発明にかかる実施の形態の概要］
実施の形態の説明に先立って、図１を用いて、本発明の実施の形態にかかる携帯端末装置の概要を説明する。図１は、本発明の実施の形態にかかる携帯端末装置１の概要を示す図である。図１に示すように、携帯端末装置１は、複数の表示部である第１表示部２及び第２表示部４と、表示制御手段６と、選択手段８と、表示画面取得手段１０と、画像データ生成手段１２とから構成される。
【００１３】
第１表示部２及び第２表示部４は、画像を表示する。表示制御手段６は、１つ以上のソフトウェアを用いて、第１表示部２及び第２表示部４の少なくとも１つにコンテンツを表示させる。選択手段８は、第１表示部２及び第２表示部４のうちの１つ以上を選択する。表示画面取得手段１０は、選択手段８によって選択された表示部に表示された画面を示す画面データを取得する。画像データ生成手段１２は、表示画面取得手段１０によって取得された画面データに基づいて、画像データを生成する。
【００１４】
本発明の実施の形態にかかる携帯端末装置１によれば、表示部の選択状態に応じて、容易に、ソフトウェアを用いて表示部に表示された画面を示すデータを生成することが可能である。なお、携帯端末装置１による方法、又は携帯端末装置１に組み込まれ得るプログラムによっても、表示部の選択状態に応じて、容易に、ソフトウェアを用いて表示部に表示された画面を示すデータを生成することが可能である。
【００１５】
［実施の形態１］
以下、図面を参照して実施の形態１について説明する。図２は、実施の形態１にかかる携帯端末装置１００の外観を示す平面図である。また、図３は、実施の形態１にかかる携帯端末装置１００を示す図である。なお、以下、実質的に同じ構成要素には、同じ符号が付される。
【００１６】
携帯端末装置１００は、例えば、携帯電話、スマートフォン、タブレットＰＣ（Personal Computer）又は携帯ゲーム機等である。携帯端末装置１は、第１筐体１０２及び第２筐体１０４から構成されている。第１筐体１０２には、第１表示部１１２が設けられている。また、第２筐体１０４には、第２表示部１１４が設けられている。
【００１７】
第１表示部１１２及び第２表示部１１４の少なくとも一方は、表示デバイスと入力デバイスとが一体となったタッチスクリーンとして構成されている。つまり、携帯端末装置１００は、第１表示部１１２又は第２表示部１１４の表面に、使用者が指などの操作体を接触させることによって操作することができるように、構成されている。
【００１８】
携帯端末装置１００は、使用されないときには、第１筐体１０２と第２筐体１０４とを重ねることによって、持ち運びが容易となるように構成されている。例えば、第１筐体１０２と第２筐体１０４との間に設けられたヒンジ（図示せず）を介して折り畳み可能としてもよい。また、例えば、第１筐体１０２と第２筐体１０４とを互いに摺動可能とすることによって、携帯端末装置１００が使用されないときに、第２筐体１０４が第１筐体１０２の下に移動できるように、又は、第１筐体１０２が第２筐体１０４の下に移動できるようにしてもよい。
【００１９】
また、例えば第２筐体１０４の側面には、入力キー１２０が設けられている。入力キー１２０は、例えば、電源ボタン１２０ａと、音量増ボタン１２０ｂと、音量減ボタン１２０ｃとから構成される。電源ボタン１２０ａを押下することによって、携帯端末装置１００の電源をオンオフすることができるように構成されている。また、音量増ボタン１２０ｂを押下することによって、携帯端末装置１００に関する音量を増加させることができるように構成されている。また、音量減ボタン１２０ｃを押下することによって、携帯端末装置１００に関する音量を減少させることができるように構成されている。
【００２０】
さらに、入力キー１２０を予め定められた方法で操作することによって、後述する表示画面取得処理が開始されるようになっている。表示画面取得処理とは、スクリーンショット、スクリーンキャプチャ、スクリーンダンプ又はプリントスクリーン等の、第１表示部１１２及び第２表示部１１４の少なくとも一方に表示された画面を示す画像データ（画面データ）を生成する処理をいう。
【００２１】
第１筐体１０２又は第２筐体１０４には、撮像部１３０が設けられている。撮像部１３０は、例えばカメラであって、被写体を撮影し、撮像を示す画像データを生成する。また、第１筐体１０２又は第２筐体１０４には、マイク１３２及びスピーカ１３４が設けられている。さらに、第１筐体１０２又は第２筐体１０４には、後述する制御部２００の制御によって点灯するＬＥＤ（Light Emitting Diode）１３６が設けられている。
【００２２】
また、第１筐体１０２又は第２筐体１０４の内部には、無線通信部１４０と、音声変換部１４４と、記憶部１４６と、メモリ１４８と、制御部２００とが設けられている。無線通信部１４０は、アンテナ１４０ａを介して他の装置と無線通信を行い、情報を送受信する。音声変換部１４４は、無線通信部１４０によって受信された音声データを音声に変換し、スピーカ１３４に出力させる。また、音声変換部１４４は、制御部２００から出力された音声データを音声に変換し、スピーカ１３４に出力させる。さらに、音声変換部１４４は、マイク１３２によって集音された音声を音声データに変換し、無線通信部１４０又は制御部２００に対して出力する。
【００２３】
記憶部１４６は、例えばＲＯＭ（Read Only Memory）又はＲＡＭ（Random Access Memory）であって、制御部２００の制御によって各種の機能を実行するアプリケーションソフトウェアを記憶する。メモリ１４８は、例えば不揮発性メモリであって、制御部２００の制御によって各種データを格納する。制御部２００は、例えば、中央演算処理装置（ＣＰＵ：Central Processing Unit）、主記憶装置及び入出力ポート等を含んでもよく、記憶部１４６に記憶された各種アプリケーションソフトウェア（プログラム）を用いて各種制御を実行する。さらに、制御部２００は、入力キー１２０、又は第１表示部１１２若しくは第２表示部１１４に設けられた入力デバイスに対する使用者の操作に応じて、第１表示部１１２、第２表示部１１４、撮像部１３０、ＬＥＤ１３６、無線通信部１４０、記憶部１４６及びメモリ１４８の動作を制御する。
【００２４】
特に、制御部２００は、アプリケーションソフトウェア（以下、単に「アプリケーション」と称する）を実行して、各種コンテンツを生成する。さらに、制御部２００は、生成されたコンテンツを、第１表示部１１２及び第２表示部１１４、又はこれらのいずれかに表示させる。なお、制御部２００は、複数のアプリケーションを同時に実行することができる。この場合、制御部２００は、生成された複数のコンテンツを、それぞれ、第１表示部１１２及び第２表示部１１４に表示させることができる。さらに、制御部２００は、表示画面取得処理を行って、第１表示部１１２及び第２表示部１１４に表示されたコンテンツを含む画面を示す画面データを取得することができる。以下、詳細に説明する。
【００２５】
図４は、図３に示した実施の形態１にかかる制御部２００によって実現される各構成要素を示す図である。図５及び図６は、実施の形態１にかかる制御部２００によってなされる処理を示すフローチャートである。また、図７Ａ〜図１３は、実施の形態１にかかる制御部２００によってなされる処理を説明するための図である。
図４に示すように、制御部２００は、アプリケーション実行部２０２、表示制御部２０４、画面取得操作受付部２０６、表示画面取得部２１０、選択部２１２、選択操作受付部２１４、画像データ生成部２２０、及び画像データ格納部２２２から構成される。
【００２６】
なお、制御部２００が実現する各構成要素は、例えば、コンピュータである制御部２００が備える演算装置（図示せず）の制御によって、プログラムを実行させることによって実現できる。より具体的には、制御部２００は、記憶部１４６に格納されたプログラムを主記憶装置（図示せず）にロードし、演算装置の制御によってプログラムを実行して実現する。また、各構成要素は、プログラムによるソフトウェアで実現することに限ることなく、ハードウェア、ファームウェア、及びソフトウェアのうちのいずれかの組み合わせ等により実現してもよい。
【００２７】
制御部２００は、アプリケーションを実行して、コンテンツを第１表示部１１２及び第２表示部１１４の少なくとも一方に表示させる（Ｓ１０２）。具体的には、アプリケーション実行部２０２は、記憶部１４６からアプリケーションデータを取得して、アプリケーションを実行する。また、アプリケーション実行部２０２は、アプリケーションの実行により、そのアプリケーションに対応するコンテンツを生成する。さらに、アプリケーション実行部２０２は、生成されたコンテンツを、表示制御部２０４に対して出力する。表示制御部２０４は、アプリケーション実行部２０２によって生成されたコンテンツに対して変換処理等の必要な処理を行う。また、表示制御部２０４は、コンテンツを表示させるように、第１表示部１１２及び第２表示部１１４の少なくとも一方を制御する。
【００２８】
例えば、アプリケーション実行部２０２がアプリケーションＡを実行してコンテンツＡを生成した場合、図７Ａに例示するように、表示制御部２０４は、第１表示部１１２にコンテンツＡを表示させてもよい。なお、このとき、表示制御部２０４は、コンテンツが表示されていない第２表示部１１４に対し、表示をオフにするように制御してもよい。これにより、電力消費を節約することができる。また、例えば、アプリケーション実行部２０２がアプリケーションＢを実行してコンテンツＢを生成した場合、図７Ｂに例示するように、表示制御部２０４は、第２表示部１１４にコンテンツＢを表示させてもよい。なお、このとき、表示制御部２０４は、コンテンツが表示されていない第１表示部１１２に対し、表示をオフにするように制御してもよい。
【００２９】
また、例えば、アプリケーション実行部２０２がアプリケーションＡを実行してコンテンツＡを生成した場合、図８に例示するように、表示制御部２０４は、第１表示部１１２及び第２表示部１１４の両方にコンテンツＡを表示させてもよい。このとき、表示制御部２０４は、コンテンツＡの右側を示すコンテンツＡａを生成し、コンテンツＡの左側を示すコンテンツＡｂを生成してもよい。そして、表示制御部２０４は、第１表示部１１２にコンテンツＡａを表示させ、第２表示部１１４にコンテンツＡｂを表示させてもよい。
【００３０】
さらに、例えば、アプリケーション実行部２０２は、アプリケーションＡ及びアプリケーションＢを同時に実行してもよい。この場合、アプリケーション実行部２０２は、アプリケーションＡの実行によりコンテンツＡを生成し、アプリケーションＢの実行によりコンテンツＢを生成してもよい。このとき、図９に例示するように、表示制御部２０４は、第１表示部１１２にコンテンツＡを表示させ、第２表示部１１４にコンテンツＢを表示させてもよい。
【００３１】
次に、制御部２００は、表示画面取得処理を開始する表示画面取得操作を受け付ける（Ｓ１０４）。具体的には、画面取得操作受付部２０６は、例えば使用者が入力キー１２０に対して予め定められた操作を行うと、画面取得操作を示す信号を受け付け、この信号を、表示画面取得部２１０に対して出力する。これによって、表示画面取得部２１０は、表示画面取得処理を開始する。ここで、例えば、使用者が電源ボタン１２０ａ及び音量減ボタン１２０ｃを同時に押下した場合、画面取得操作受付部２０６は、画面取得操作を示す信号を受け付けてもよい。
【００３２】
次に、制御部２００は、コンテンツが第１表示部１１２及び第２表示部１１４のいずれにも表示されているか否かを判断する（Ｓ１０６）。具体的には、表示画面取得部２１０は、表示制御部２０４が第１表示部１１２及び第２表示部１１４の両方にコンテンツを表示させているか否かを判断する。
【００３３】
第１表示部１１２又は第２表示部１１４のどちらかのみにコンテンツが表示されている場合（Ｓ１０６のＮＯ）、制御部２００は、第１表示部１１２又は第２表示部１１４のどちらにコンテンツが表示されているかを判断する（Ｓ１０８）。具体的には、例えば図７Ａのように、表示制御部２０４が第１表示部１１２にコンテンツを表示させている場合、選択部２１２は、「第１表示部１１２」を選択する。一方、例えば図７Ｂに例示するように、表示制御部２０４が第２表示部１１４にコンテンツを表示させている場合、選択部２１２は、「第２表示部１１４」を選択する。そして、表示画面取得部２１０は、選択部２１２が第１表示部１１２又は第２表示部１１４のどちらを選択しているかを判断する。
【００３４】
第１表示部１１２にコンテンツが表示されていると判断された場合（Ｓ１０８の「第１」）、制御部２００は、第１表示部１１２に表示された画面を示す画面データを取得する（Ｓ１１０）。具体的には、表示画面取得部２１０は、第１表示部１１２に表示された画面を示す画面データを取得する。画面データを取得する方法の例としては、例えば、制御部２００から第１表示部１１２に送信される信号を取得して、その信号から画面データを生成してもよいし、撮像部１３０が第１表示部１１２に表示されている画面を撮影してもよい。
【００３５】
次に、制御部２００は、第１表示部１１２に表示されている画面に対応する画像データを生成する（Ｓ１１２）。具体的には、画像データ生成部２２０は、表示画面取得部２１０によって取得された画面データに対して、データ形式の変換等の必要な処理を施して、画像データを生成する。例えば、図７Ａに例示するように、第１表示部１１２にコンテンツＡを含む画面が表示されている場合、画像データ生成部２２０は、図１０Ａに例示するような、コンテンツＡを含む画面の画像を示す画像データを生成する。次に、制御部２００の画像データ格納部２２２は、画像データ生成部２２０によって生成された画像データを、メモリ１４８に格納する（Ｓ１１４）。
【００３６】
第２表示部１１４にコンテンツが表示されていると判断された場合（Ｓ１０８の「第２」）、制御部２００は、第２表示部１１４に表示された画面を示す画面データを取得する（Ｓ１２０）。具体的には、表示画面取得部２１０は、Ｓ１１０の処理と同様の方法で、第２表示部１１４に表示された画面を示す画面データを取得する。
【００３７】
次に、制御部２００は、第２表示部１１４に表示されている画面に対応する画像データを生成する（Ｓ１２２）。具体的には、画像データ生成部２２０は、表示画面取得部２１０によって取得された画面データに対して、データ形式の変換等の必要な処理を施して、画像データを生成する。例えば、図７Ｂに例示するように、第２表示部１１４にコンテンツＢを含む画面が表示されている場合、画像データ生成部２２０は、例えば、図１０Ｂに例示するような、コンテンツＢを含む画面の画像を示す画像データを生成する。次に、制御部２００の画像データ格納部２２２は、画像データ生成部２２０によって生成された画像データを、メモリ１４８に格納する（Ｓ１１４）。
【００３８】
このように、２つの表示部のうちどちらか一方のみにコンテンツが表示されている場合は、その表示されている表示部に表示された画面に関する画像データを生成することができる。また、この場合、使用者が表示画面取得操作を行った後、何らの操作を行うことなく、表示部に表示された画面に関する画像データが生成され得る。
【００３９】
一方、第１表示部１１２及び第２表示部１１４の両方にコンテンツが表示されている場合（Ｓ１０６のＹＥＳ）、制御部２００は、同じアプリケーションによって、第１表示部１１２及び第２表示部１１４の両方にコンテンツが表示されているか否かを判断する（Ｓ１３０）。具体的には、例えば図８に例示するように、表示制御部２０４が１つのアプリケーション（図８の例ではアプリケーションＡ）によって第１表示部１１２及び第２表示部１１４の両方にコンテンツを表示させている場合、選択部２１２は、「第１表示部１１２」及び「第２表示部１１４」の両方を選択する。つまり、同じアプリケーションによって第１表示部１１２及び第２表示部１１４の両方にコンテンツが表示されている場合、選択部２１２は、自動的に、「第１表示部１１２」及び「第２表示部１１４」の両方を選択する。
【００４０】
一方、例えば図９に例示するように、表示制御部２０４が複数のアプリケーション（図９の例ではアプリケーションＡ及びアプリケーションＢ）によって第１表示部１１２及び第２表示部１１４の両方にコンテンツを表示させている場合は、選択部２１２は、表示部の選択を行っていない。この場合、後述するように、選択部２１２は、選択操作がなされた後、その選択操作にしたがって、「第１表示部１１２」及び「第２表示部１１４」の少なくとも一方を選択する。
【００４１】
そして、表示画面取得部２１０は、選択部２１２が第１表示部１１２又は第２表示部１１４のどちらを選択しているかを判断する。同じアプリケーションによって第１表示部１１２及び第２表示部１１４の両方にコンテンツが表示されている場合（つまり、選択部２１２が「第１表示部１１２」及び「第２表示部１１４」の両方を選択している場合）（Ｓ１３０のＹＥＳ）、制御部２００は、第１表示部１１２及び第２表示部１１４の両方にそれぞれ表示された画面を示す２つの画面データを取得する（Ｓ１３２）。
【００４２】
具体的には、表示画面取得部２１０は、Ｓ１１０の処理と同様の方法で、第１表示部１１２に表示された画面を示す画面データを取得する。同様に、表示画面取得部２１０は、第２表示部１１４に表示された画面を示す画面データを取得する。例えば、図８の例では、表示画面取得部２１０は、第１表示部１１２に表示された、コンテンツＡａを含む画面ａを示す画面データａを取得する。同様に、表示画面取得部２１０は、第２表示部１１４に表示された、コンテンツＡｂを含む画面ｂを示す画面データｂを取得する。
【００４３】
次に、制御部２００は、第１表示部１１２及び第２表示部１１４に表示されている画面に対応する画像データを生成する（Ｓ１３４）。具体的には、画像データ生成部２２０は、表示画面取得部２１０によって取得された２つの画面データを合成する。さらに、画像データ生成部２２０は、合成されて１つになった画面データに対して、データ形式の変換等の必要な処理を施して、画像データを生成する。
【００４４】
例えば、図８に例示するように、第１表示部１１２にコンテンツＡａを含む画面ａが表示され、第２表示部１１４にコンテンツＡｂを含む画面ｂが表示されている場合、画像データ生成部２２０は、図１１に例示するように、画面ａと画面ｂとを合成した画像を示す画像データを生成する。つまり、図８に例示するように、１つのアプリケーションであるアプリケーションＡによって２つの表示部に分離されてコンテンツＡが表示されていたが、表示画面取得処理によって生成された画像データは、図１１に例示するように、分離されたままでなく、１つに合成された状態となっている。
次に、制御部２００の画像データ格納部２２２は、画像データ生成部２２０によって生成された画像データを、メモリ１４８に格納する（Ｓ１１４）。
【００４５】
一方、異なるアプリケーションによって、第１表示部１１２及び第２表示部１１４の両方にコンテンツが表示されていると判断された場合（つまり選択部２１２が表示部の選択を行っていない場合）（Ｓ１３０のＮＯ）、制御部２００は、表示部選択操作モードに移行する（Ｓ１４０）。
【００４６】
具体的には、選択部２１２は、選択操作受付部２１４を制御して、表示部の選択を行うための操作を受け付ける状態（表示部選択操作モード）にする。この表示部選択モードにおいて、使用者が予め定められた操作を行うと、どの表示部に表示された画面を取得するかを選択することができる。例えば、第１表示部１１２がタッチスクリーンとして構成されている場合、使用者は、第１表示部１１２の表面をタップすることによって、選択操作（第１の操作）を行うことができる。ここで、「タップ」とは、表示部の表面に指を接触させ、予め定められた時間以内（例えば１秒以内）に指を離す操作をいう。
【００４７】
まず、図１２Ａに例示するように、第１表示部１１２及び第２表示部１１４の両方が明るく点灯している状態において、使用者が、第１表示部１１２をタップし、選択操作受付部２１４がそのタップ操作を受け付けると、表示制御部２０４は、図１２Ｂに例示するように、第２表示部１１４の表示の明るさを第１表示部１１２よりも暗くするように制御する。この状態で一定時間（例えば５秒間）タップ操作が行われないと、選択部２１２は、「第１表示部１１２」を選択する。
【００４８】
一方、一定時間内に、再度、使用者が、第１表示部１１２をタップし、選択操作受付部２１４がそのタップ操作を受け付けると、表示制御部２０４は、図１２Ｃに例示するように、第１表示部１１２の表示の明るさを第２表示部１１４よりも暗くし、第２表示部１１４の表示の明るさを第１表示部１１２よりも明るくするように制御する。この状態で一定時間（例えば５秒間）タップ操作が行われないと、選択部２１２は、「第２表示部１１４」を選択する。
【００４９】
一方、一定時間内に、再度、使用者が、第１表示部１１２をタップし、選択操作受付部２１４がそのタップ操作を受け付けると、表示制御部２０４は、図１２Ａに例示するように、第１表示部１１２及び第２表示部の両方を同じように明るくするように制御する。この状態で一定時間（例えば５秒間）タップ操作が行われないと、選択部２１２は、「第１表示部１１２及び第２表示部１１４」を選択する。
【００５０】
このように、選択操作（例えばタップ操作）を行うたびに第１表示部１１２及び第２表示部１１４の表示が変化するので、使用者は、この状態で選択操作を一定時間行わなければ、どの表示部が選択されるのか（つまりどの表示部が、選択されうる候補（選択候補）となっているか）を、容易に把握することができる。また、使用者は、上記のような選択候補の切り替えを、例えばタップ操作といった簡単な操作で行うことができる。
【００５１】
次に、制御部２００は、表示部の選択処理が終了したか否かを判断する（Ｓ１４２）。具体的には、上記のように、選択部２１２は、一定時間、選択操作がなされないか否かを判断する。表示部の選択処理が終了していないと判断された場合（つまり、一定時間内に選択操作がなされた場合）（Ｓ１４２のＮＯ）、制御部２００は、Ｓ１４０の処理を繰り返す。
【００５２】
一方、表示部の選択処理が終了したと判断された場合（つまり、一定時間内に選択操作がなされなかった場合）（Ｓ１４２のＹＥＳ）、制御部２００は、第１表示部１１２及び第２表示部１１４のどの表示部が選択されたかを判断する（Ｓ１４６）。具体的には、表示画面取得部２１０は、選択部２１２が「第１表示部１１２」、「第２表示部１１４」又は「第１表示部１１２及び第２表示部１１４」のいずれを選択しているかを判断する。
【００５３】
「第１表示部１１２」が選択されたと判断された場合（Ｓ１４６の「第１」）、制御部２００は、第１表示部１１２に表示された画面を示す画面データを取得する（Ｓ１５０）。具体的には、表示画面取得部２１０は、Ｓ１１０の処理と同様に、第１表示部１１２に表示された画面を示す画面データを取得する。次に、制御部２００は、第１表示部１１２に表示されている画面に対応する画像データを生成する（Ｓ１５２）。具体的には、画像データ生成部２２０は、表示画面取得部２１０によって取得された画面データに対して、データ形式の変換等の必要な処理を施して、画像データを生成する。
【００５４】
例えば、図９に例示するように、第１表示部１１２にコンテンツＡを含む画面が表示され、第２表示部１１４にコンテンツＢを含む画面が表示されている場合であって、図１２Ｂに例示するように、第１表示部１１２が選択されたとき、画像データ生成部２２０は、図１０Ａに例示するような、コンテンツＡを含む画面の画像を示す画像データを生成する。
次に、制御部２００の画像データ格納部２２２は、画像データ生成部２２０によって生成された画像データを、メモリ１４８に格納する（Ｓ１５４）。
【００５５】
一方、「第２表示部１１４」が選択されたと判断された場合（Ｓ１４６の「第２」）、制御部２００は、第２表示部１１４に表示された画面を示す画面データを取得する（Ｓ１６０）。具体的には、表示画面取得部２１０は、Ｓ１２０の処理と同様に、第２表示部１１４に表示された画面を示す画面データを取得する。次に、制御部２００は、第２表示部１１４に表示されている画面に対応する画像データを生成する（Ｓ１６２）。具体的には、画像データ生成部２２０は、表示画面取得部２１０によって取得された画面データに対して、データ形式の変換等の必要な処理を施して、画像データを生成する。
【００５６】
例えば、図９に例示するように、第１表示部１１２にコンテンツＡを含む画面が表示され、第２表示部１１４にコンテンツＢを含む画面が表示されている場合であって、図１２Ｃに例示するように、第２表示部１１４が選択されたとき、画像データ生成部２２０は、図１０Ｂに例示するような、コンテンツＢを含む画面の画像を示す画像データを生成する。
次に、制御部２００の画像データ格納部２２２は、画像データ生成部２２０によって生成された画像データを、メモリ１４８に格納する（Ｓ１５４）。
【００５７】
一方、「第１表示部１１２及び第２表示部１１４」が選択されたと判断された場合（Ｓ１４６の「両方」）、制御部２００は、第１表示部１１２及び第２表示部１１４の両方にそれぞれ表示された画面を示す２つの画面データを取得する（Ｓ１７０）。具体的には、表示画面取得部２１０は、Ｓ１３２の処理と同様に、第１表示部１１２に表示された画面を示す画面データを取得する。同様に、表示画面取得部２１０は、第２表示部１１４に表示された画面を示す画面データを取得する。
【００５８】
次に、制御部２００は、第１表示部１１２及び第２表示部１１４に表示されている画面に対応する画像データを生成する（Ｓ１７２）。具体的には、画像データ生成部２２０は、表示画面取得部２１０によって取得された２つの画面データを合成する。さらに、画像データ生成部２２０は、合成されて１つになった画面データに対して、データ形式の変換等の必要な処理を施して、画像データを生成する。
【００５９】
例えば、図９に例示するように、第１表示部１１２にコンテンツＡを含む画面Ａが表示され、第２表示部１１４にコンテンツＢを含む画面Ｂが表示されている場合であって、図１２Ａに例示するように、第１表示部１１２及び第２表示部１１４の両方が選択されたとき、画像データ生成部２２０は、図１３に例示するように、画面Ａと画面Ｂとを合成した画像を示す画像データを生成する。
次に、制御部２００の画像データ格納部２２２は、画像データ生成部２２０によって生成された画像データを、メモリ１４８に格納する（Ｓ１５４）。
【００６０】
このように、使用者は、選択操作（例えばタップ操作）を繰り返し行い、その選択操作の回数に応じて取得したい画面を選択することができる。例えば、図１２Ａ〜図１２Ｃの例では、始めに図１２Ａの状態だとすると、使用者が選択操作を１回行うと、図１２Ｂの状態になるので、選択部２１２は第１表示部１１２を選択する。つまり、表示画面取得部２１０は第１表示部１１２の表示画面を取得することができる。使用者が選択操作を２回行うと、図１２Ｃの状態になるので、選択部２１２は第２表示部１１４を選択する。つまり、表示画面取得部２１０は第２表示部１１４の表示画面を取得することができる。
【００６１】
使用者が選択操作を３回行うと、図１２Ａの状態になるので、選択部２１２は第１表示部１１２及び第２表示部１１４を選択する。つまり、表示画面取得部２１０は、第１表示部１１２の表示画面と第２表示部１１４の表示画面とを取得することができる。そして、画像データ生成部２２０は、第１表示部１１２の表示画面と第２表示部１１４の表示画面と合成した画像データを生成することができる。
【００６２】
したがって、選択操作のための、特別な操作及び入力キーデバイスは、不要である。さらに、一定時間、選択操作がなされない場合に、自動的に、表示部が選択されるので、使用者は、例えばタップ操作といった１つの操作を繰り返すのみで、簡単に、所望の画面に関する画像データを取得することができる。
【００６３】
［実施の形態２］
次に、実施の形態２について説明する。実施の形態２は、実施の形態１において、同じアプリケーションによって、第１表示部１１２及び第２表示部１１４の両方にコンテンツが表示されている場合の処理を変形したものである。以下、図５の「Ｓ１０６のＹＥＳ」以降を変形した処理について説明する。
図１４は、実施の形態２にかかる制御部２００によってなされる処理を示すフローチャートである。図１４のフローチャートは、図５のＳ１３０〜Ｓ１３４を置き換えたものである。また、図１５Ａ〜図１７Ｂは、実施の形態２にかかる処理を説明するための図である。
【００６４】
第１表示部１１２及び第２表示部１１４の両方にコンテンツが表示されている場合、制御部２００は、同じアプリケーションによって、第１表示部１１２及び第２表示部１１４の両方にコンテンツが表示されているか否かを判断する（Ｓ２０２）。具体的には、表示画面取得部２１０は、表示制御部２０４が１つのアプリケーション（図８の例ではアプリケーションＡ）によって第１表示部１１２及び第２表示部１１４の両方にコンテンツを表示させているか否かを判断する。
【００６５】
異なるアプリケーションによって、第１表示部１１２及び第２表示部１１４の両方にコンテンツが表示されている場合（Ｓ２０２のＹＥＳ）、図６に示されたＳ１４０の処理が行われ、以降、実施の形態１と同様の処理がなされる。一方、同じアプリケーションによって第１表示部１１２及び第２表示部１１４の両方にコンテンツが表示されている場合（Ｓ２０２のＹＥＳ）、制御部２００は、表示部選択操作モードに移行する（Ｓ２０４）。
【００６６】
具体的には、選択部２１２は、選択操作受付部２１４を制御して、表示部の選択を行うための操作を受け付ける状態（表示部選択操作モード）にする。この表示部選択モードにおいて、使用者が予め定められた操作を行うと、どの表示部に表示された画面を取得するかを選択することができる。さらに、第１表示部１１２及び第２表示部１１４の両方に表示された画面を取得する場合には、それらの画面を合成した画像データを生成するか、又は、合成しないで別個の画像データを生成するかを選択することができる。例えば、実施の形態１と同様に、第１表示部１１２がタッチスクリーンとして構成されている場合、使用者は、第１表示部１１２の表面をタップすることによって、選択操作を行うことができる。
【００６７】
まず、図１５Ａに例示するように、第１表示部１１２及び第２表示部１１４の両方が明るく点灯している状態において、使用者が、第１表示部１１２をタップし、選択操作受付部２１４がそのタップ操作を受け付けると、表示制御部２０４は、図１５Ｂに例示するように、第２表示部１１４の表示の明るさを第１表示部１１２よりも暗くするように制御する。この状態で一定時間（例えば５秒間）タップ操作が行われないと、選択部２１２は、「第１表示部１１２」を選択する。
【００６８】
一方、一定時間内に、再度、使用者が、第１表示部１１２をタップし、選択操作受付部２１４がそのタップ操作を受け付けると、表示制御部２０４は、図１５Ｃに例示するように、第１表示部１１２の表示の明るさを第２表示部１１４よりも暗くし、第２表示部１１４の表示の明るさを第１表示部１１２よりも明るくするように制御する。この状態で一定時間（例えば５秒間）タップ操作（選択操作）が行われないと、選択部２１２は、「第２表示部１１４」を選択する。
【００６９】
一方、一定時間内に、再度、使用者が、第１表示部１１２をタップし、選択操作受付部２１４がそのタップ操作を受け付けると、表示制御部２０４は、図１６に例示するように、第１表示部１１２の表示の明るさを第２表示部１１４よりも明るくした状態と、第２表示部１１４の表示の明るさを第１表示部１１２よりも明るくした状態とを、予め定められた時間ごと（例えば０．２秒ごと）に、交互に繰り返す。
【００７０】
つまり、表示制御部２０４は、まず、第１表示部１１２の表示の明るさを第２表示部１１４よりも明るくし、例えば０．２秒経過したら、第２表示部１１４の表示の明るさを第１表示部１１２よりも明るくする。さらに０．２秒経過したら、表示制御部２０４は、第１表示部１１２の表示の明るさを第２表示部１１４よりも明るくする。以後、この一方を明るくし、他方を暗くすることを繰り返す。この状態で一定時間（例えば５秒間）タップ操作が行われないと、選択部２１２は、「第１表示部１１２及び第２表示部１１４」及び「合成しない」を選択する。
【００７１】
一方、一定時間内（例えば５秒以内）に、再度、使用者が、第１表示部１１２をタップし、選択操作受付部２１４がそのタップ操作を受け付けると、表示制御部２０４は、図１５Ａに例示するように、第１表示部１１２及び第２表示部の両方を同じように明るくするように制御する。この状態で一定時間（例えば５秒間）タップ操作が行われないと、選択部２１２は、「第１表示部１１２及び第２表示部１１４」及び「合成する」を選択する。
【００７２】
このように、選択操作（例えばタップ操作）を行うたびに第１表示部１１２及び第２表示部１１４の表示が変化するので、使用者は、この状態で選択操作を一定時間行わなければ、どの表示部が選択されるのか（つまりどの表示部が、選択されうる候補となっているか）を、容易に把握することができる。
【００７３】
次に、制御部２００は、表示部の選択処理が終了したか否かを判断する（Ｓ２０６）。具体的には、上記のように、選択部２１２は、一定時間、選択操作がなされないか否かを判断する。表示部の選択処理が終了していないと判断された場合（つまり、一定時間内に選択操作がなされた場合）（Ｓ２０６のＮＯ）、制御部２００は、Ｓ２０４の処理を繰り返す。
【００７４】
一方、表示部の選択処理が終了したと判断された場合（つまり、一定時間内に選択操作がなされなかった場合（Ｓ２０６のＹＥＳ）、制御部２００は、第１表示部１１２及び第２表示部１１４のどの表示部が選択されたかを判断する（Ｓ２０８）。具体的には、表示画面取得部２１０は、選択部２１２が「第１表示部１１２」、「第２表示部１１４」又は「第１表示部１１２及び第２表示部１１４」のいずれを選択しているかを判断する。
【００７５】
「第１表示部１１２」が選択されたと判断された場合（Ｓ２０８の「第１」）、制御部２００は、第１表示部１１２に表示された画面を示す画面データを取得する（Ｓ２１０）。具体的には、表示画面取得部２１０は、実施の形態１のＳ１１０の処理と同様に、第１表示部１１２に表示された画面を示す画面データを取得する。次に、制御部２００は、第１表示部１１２に表示されている画面に対応する画像データを生成する（Ｓ２１２）。具体的には、画像データ生成部２２０は、表示画面取得部２１０によって取得された画面データに対して、データ形式の変換等の必要な処理を施して、画像データを生成する。
【００７６】
例えば、図８に例示するように、第１表示部１１２にコンテンツＡの一部であるコンテンツＡａを含む画面が表示され、第２表示部１１４にコンテンツＡの一部であるコンテンツＡｂを含む画面が表示されている場合であって、図１５Ｂに例示するように、第１表示部１１２が選択されたとき、画像データ生成部２２０は、図１７Ａに例示するような、コンテンツＡａを含む画面の画像を示す画像データを生成する。
次に、制御部２００の画像データ格納部２２２は、画像データ生成部２２０によって生成された画像データを、メモリ１４８に格納する（Ｓ２１４）。
【００７７】
一方、「第２表示部１１４」が選択されたと判断された場合（Ｓ２０８の「第２」）、制御部２００は、第２表示部１１４に表示された画面を示す画面データを取得する（Ｓ２２０）。具体的には、表示画面取得部２１０は、実施の形態１のＳ１２０の処理と同様に、第２表示部１１４に表示された画面を示す画面データを取得する。次に、制御部２００は、第２表示部１１４に表示されている画面に対応する画像データを生成する（Ｓ２２２）。具体的には、画像データ生成部２２０は、表示画面取得部２１０によって取得された画面データに対して、データ形式の変換等の必要な処理を施して、画像データを生成する。
【００７８】
例えば、図８に例示するように、第１表示部１１２にコンテンツＡの一部であるコンテンツＡａを含む画面が表示され、第２表示部１１４にコンテンツＡの一部であるコンテンツＡｂを含む画面が表示されている場合であって、図１５Ｃに例示するように、第２表示部１１４が選択されたとき、画像データ生成部２２０は、図１７Ｂに例示するような、コンテンツＡａを含む画面の画像を示す画像データを生成する。
次に、制御部２００の画像データ格納部２２２は、画像データ生成部２２０によって生成された画像データを、メモリ１４８に格納する（Ｓ２１４）。
【００７９】
一方、「第１表示部１１２及び第２表示部１１４」が選択されたと判断された場合（Ｓ２０８の「両方」）、制御部２００は、両方の表示部に表示された画面を合成するか否かを判断する（Ｓ２３０）。具体的には、表示画面取得部２１０は、選択部２１２が「合成する」を選択したか「合成しない」を選択したかを判断する。
【００８０】
合成すると判断された場合（Ｓ２３０のＹＥＳ）、制御部２００は、実施の形態１のＳ１３２と同様に、第１表示部１１２及び第２表示部１１４の両方にそれぞれ表示された画面を示す２つの画面データを取得する（Ｓ２４０）。次に、制御部２００は、実施の形態１のＳ１３４と同様に、第１表示部１１２及び第２表示部１１４に表示されている画面に対応する画像データを生成する（Ｓ２４２）。具体的には、画像データ生成部２２０は、表示画面取得部２１０によって取得された２つの画面データを合成する。さらに、画像データ生成部２２０は、合成されて１つになった画面データに対して、データ形式の変換等の必要な処理を施して、画像データを生成する。
【００８１】
例えば、図８に例示するように、第１表示部１１２にコンテンツＡａを含む画面ａが表示され、第２表示部１１４にコンテンツＡｂを含む画面ｂが表示されている場合であって、図１５Ａに例示するように、第１表示部１１２及び第２表示部１１４の両方が選択され、かつ、両者の画面を合成させることが選択されたとき、画像データ生成部２２０は、図１１に例示するように、画面ａと画面ｂとを合成した画像を示す画像データを生成する。つまり、図８に例示するように、１つのアプリケーションであるアプリケーションＡによって２つの表示部に分離されてコンテンツＡが表示されていたが、表示画面取得処理によって生成された画像データは、図１１に例示するように、分離されたままでなく、１つに合成された状態となっている。
次に、制御部２００の画像データ格納部２２２は、画像データ生成部２２０によって生成された画像データを、メモリ１４８に格納する（Ｓ２１４）。
【００８２】
一方、合成しないと判断された場合（Ｓ２３０のＮＯ）、制御部２００は、第１表示部１１２及び第２表示部１１４の両方にそれぞれ表示された画面を示す２つの画面データを取得する（Ｓ２５０）。具体的には、表示画面取得部２１０は、実施の形態１のＳ１１０の処理と同様の方法で、第１表示部１１２に表示された画面を示す画面データを取得する。同様に、表示画面取得部２１０は、第２表示部１１４に表示された画面を示す画面データを取得する。例えば、図８の例では、表示画面取得部２１０は、第１表示部１１２に表示された、コンテンツＡａを含む画面ａを示す画面データａを取得する。同様に、表示画面取得部２１０は、第２表示部１１４に表示された、コンテンツＡｂを含む画面ｂを示す画面データｂを取得する。
【００８３】
次に、制御部２００は、第１表示部１１２及び第２表示部１１４に表示されている画面それぞれに対応する画像データを、別個に生成する（Ｓ２５２）。具体的には、画像データ生成部２２０は、第１表示部１１２に表示された画面を示す画面データに対して、データ形式の変換等の必要な処理を施して、画像データを生成する。同様に、画像データ生成部２２０は、第２表示部１１４に表示された画面を示す画面データに対して、データ形式の変換等の必要な処理を施して、画像データを生成する。
【００８４】
例えば、図８に例示するように、第１表示部１１２にコンテンツＡａを含む画面ａが表示され、第２表示部１１４にコンテンツＡｂを含む画面ｂが表示されている場合であって、図１６に例示するように、第１表示部１１２及び第２表示部１１４の両方が選択され、かつ、両者の画面を合成させないことが選択されたとき、画像データ生成部２２０は、図１７Ａ，図１７Ｂに例示するように、コンテンツＡａを含む画面の画像を示す画像データ（図１７Ａ）と、コンテンツＡｂを含む画面の画像を示す画像データ（図１７Ｂ）とを、別個に生成する。次に、制御部２００の画像データ格納部２２２は、画像データ生成部２２０によって生成された２つの画像データを、メモリ１４８に格納する（Ｓ２１４）。
【００８５】
このように、使用者は、選択操作（例えばタップ操作）を繰り返し行い、その選択操作の回数に応じて取得したい画面を選択することができ、さらに、複数の画面を合成するか否かも選択することができる。例えば、図１５Ａ〜図１５Ｃ，図１６の例では、始めに図１５Ａの状態だとすると、使用者が選択操作を１回行うと、図１５Ｂの状態になるので、選択部２１２は第１表示部１１２を選択する。つまり、表示画面取得部２１０は第１表示部１１２の表示画面を取得することができる。使用者が選択操作を２回行うと、図１５Ｃの状態になるので、選択部２１２は第２表示部１１４を選択する。つまり、表示画面取得部２１０は第２表示部１１４の表示画面を取得することができる。
【００８６】
使用者が選択操作を３回行うと、図１６の状態になるので、選択部２１２は第１表示部１１２及び第２表示部１１４を選択する。つまり、表示画面取得部２１０は、第１表示部１１２の表示画面と第２表示部１１４の表示画面とを取得することができる。そして、画像データ生成部２２０は、第１表示部１１２の表示画面と第２表示部１１４の表示画面とで別個に画像データを生成することができる。
【００８７】
使用者が選択操作を４回行うと、図１５Ａの状態になるので、選択部２１２は第１表示部１１２及び第２表示部１１４を選択する。つまり、表示画面取得部２１０は、第１表示部１１２の表示画面と第２表示部１１４の表示画面とを取得することができる。そして、画像データ生成部２２０は、第１表示部１１２の表示画面と第２表示部１１４の表示画面と合成した画像データを生成することができる。
【００８８】
したがって、選択操作のための、特別な操作及び入力キーデバイスは、不要である。さらに、一定時間、選択操作がなされない場合に、自動的に、表示部が選択され、さらに合成するか否かも選択されるので、使用者は、例えばタップ操作といった１つの操作を繰り返すのみで、簡単に、所望の画面に関する画像データを取得することができる。
【００８９】
なお、上述した実施の形態２においては、１つのアプリケーションによって第１表示部１１２及び第２表示部１１４の両方にコンテンツが表示されている場合について説明したが、異なるアプリケーションによって第１表示部１１２及び第２表示部１１４の両方にコンテンツが表示されている場合にも適用可能である。具体的には、実施の形態１の図６に示したフローチャートのＳ１７０及びＳ１７２の処理を、実施の形態２の図１４に示したフローチャートのＳ２３０〜Ｓ２５２に対応する処理に置き換えてもよい。
【００９０】
このように構成することによって、異なるアプリケーションによって第１表示部１１２及び第２表示部１１４の両方にコンテンツが表示されている場合であって、使用者が両方の表示部を選択したときであっても、常に、第１表示部１１２の表示画面と第２表示部１１４の表示画面とが合成されるわけではない。つまり、使用者は、第１表示部１１２の表示画面と第２表示部１１４の表示画面とを、合成するか又は別個にするかを選択することができる。これによって、例えば図９のように、異なるアプリケーションによって第１表示部１１２及び第２表示部１１４の両方にコンテンツが表示されている場合に、使用者が第１表示部１１２及び第２表示部１１４の表示画面を別個に取得することを所望するとき、使用者は、第１表示部１１２を選択して第１表示部１１２の表示画面に関する画像データ（図１０Ａ）を生成させた後で、第２表示部１１４を選択して第２表示部１１４の表示画面に関する画像データ（図１０Ａ）を生成させるといった、煩わしい処理をすることがなくなる。
【００９１】
［変形例］
なお、本発明は上記実施の形態に限られたものではなく、以下のように、趣旨を逸脱しない範囲で適宜変更することが可能である。例えば、上述した実施の形態においては、筐体は２つであるとしたが、筐体は１つであってもよく、３つ以上であってもよい。また、上述した実施の形態においては、表示部は２つであるとしたが、表示部は３つ以上であってもよい。
【００９２】
また、上述した実施の形態においては、操作体は使用者の指であるとしたが、操作体は、指に限られない。例えば、操作体は、タッチペン又はスタイラス等であってもよい。また、上述した実施の形態においては、選択操作はタップ操作としたが、選択操作はタップ操作に限られない。例えば、選択操作は、フリック操作であってもよいし、入力キー１２０の押下でもよい。
【００９３】
また、上述した実施の形態において示した各構成要素の２つ以上は、一体に構成されてもよい。例えば、表示画面取得部２１０と選択部２１２とは一体であってもよく、例えば、表示画面取得部２１０が選択部２１２の機能を有していてもよい。
また、図５，図６，図１４に示したフローチャートにおいて、処理（ステップ）の順序は、適宜、変更可能である。また、１つの処理（ステップ）が実行されている間に他の処理（ステップ）が実行されてもよい。また、複数ある処理（ステップ）のうちの１つ以上は、省略されてもよい。
【００９４】
また、上述した実施の形態において、図１２Ａ〜図１２Ｃ及び図１５Ａ〜図１５Ｃを用いて、選択候補でない表示部については、選択候補である表示部よりも表示を暗くすると説明したが、表示の明暗で選択候補であるか否かを区別しなくてもよい。例えば、表示制御部２０４は、選択候補でない表示部の画面に予め定められたマーク（例えばバツ印又は「非選択」といった文字等）を付してもよい。また、例えば、表示制御部２０４は、選択候補である表示部の画面に予め定められたマーク（例えばマル印又は「選択」といった文字等）を付してもよい。
【００９５】
また、上述した実施の形態において、図１２Ａ〜図１２Ｃ，図１５Ａ〜図１５Ｃ及び図１６を用いて、選択操作がなされる回数に応じて、表示部の表示状態及び選択候補が順に遷移するとしたが、その遷移する順序は、図１２Ａ〜図１２Ｃ，図１５Ａ〜図１５Ｃ及び図１６の順序に限られず、当業者によって、適宜、設定され得る。
【００９６】
また、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
以上、実施の形態を参照して本願発明を説明したが、本願発明は上記によって限定されるものではない。本願発明の構成や詳細には、発明のスコープ内で当業者が理解し得る様々な変更をすることができる。
【００９８】
この出願は、２０１３年３月５日に出願された日本出願特願２０１３−４２７３５を基礎とする優先権を主張し、その開示の全てをここに取り込む。
【符号の説明】
【００９９】
１  携帯端末装置
２  第１表示部
４  第２表示部
６  表示制御手段
８  選択手段
１０  表示画面取得手段
１２  画像データ生成手段
１００  携帯端末装置
１１２  第１表示部
１１４  第２表示部
１２０  入力キー
１２０ａ  電源ボタン
１２０ｂ  音量増ボタン
１２０ｃ  音量減ボタン
１４６  記憶部
１４８  メモリ
２００  制御部
２０２  アプリケーション実行部
２０４  表示制御部
２０６  画面取得操作受付部
２１０  表示画面取得部
２１２  選択部
２１４  選択操作受付部
２２０  画像データ生成部
２２２  画像データ格納部
【図１】
2014136400.tif 000003
【図２】
2014136400.tif 000004
【図３】
2014136400.tif 000005
【図４】
2014136400.tif 000006
【図５】
2014136400.tif 000007
【図６】
2014136400.tif 000008
【図７Ａ】
2014136400.tif 000009
【図７Ｂ】
2014136400.tif 000010
【図８】
2014136400.tif 000011
【図９】
2014136400.tif 000012
【図１０Ａ】
2014136400.tif 000013
【図１０Ｂ】
2014136400.tif 000014
【図１１】
2014136400.tif 000015
【図１２Ａ】
2014136400.tif 000016
【図１２Ｂ】
2014136400.tif 000017
【図１２Ｃ】
2014136400.tif 000018
【図１３】
2014136400.tif 000019
【図１４】
2014136400.tif 000020
【図１５Ａ】
2014136400.tif 000021
【図１５Ｂ】
2014136400.tif 000022
【図１５Ｃ】
2014136400.tif 000023
【図１６】
2014136400.tif 000024
【図１７Ａ】
2014136400.tif 000025
【図１７Ｂ】
2014136400.tif 000026
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
画像を表示する複数の表示部と、
１つ以上のソフトウェアを用いて、前記複数の表示部の少なくとも１つにコンテンツを表示させる表示制御手段と、
前記複数の表示部のうちの１つ以上を選択する選択手段と、
前記選択手段によって選択された前記表示部に表示された画面を示す画面データを取得する表示画面取得手段と、
前記表示画面取得手段によって取得された前記画面データに基づいて、画像データを生成する画像データ生成手段と
を有する携帯端末装置。
【請求項２】
使用者による第１の操作を受け付ける操作受付手段
をさらに有し、
前記選択手段は、前記操作受付手段が前記第１の操作を受け付けた回数に応じて、前記複数の表示部のうちの１つ以上を選択する
請求項１に記載の携帯端末装置。
【請求項３】
前記表示制御手段が、複数のソフトウェアを用いて複数の前記表示部にそれぞれコンテンツを表示させている場合、前記選択手段は、前記操作受付手段が前記第１の操作を受け付けた回数に応じて、前記複数の表示部のうちの１つ以上を選択する
請求項２に記載の携帯端末装置。
【請求項４】
前記操作受付手段が、前記第１の操作を受け付けてから予め定められた時間以内に、次の前記第１の操作を受け付けない場合に、前記選択手段は、前記複数の表示部のうちの１つ以上を選択する
請求項２又は３に記載の携帯端末装置。
【請求項５】
使用者による第１の操作を受け付ける操作受付手段
をさらに有し、
前記表示制御手段は、前記操作受付手段が前記第１の操作を受け付けた場合に、前記複数の表示部の少なくとも１つの表示状態を切り替える
請求項１から４のいずれか１項に記載の携帯端末装置。
【請求項６】
前記表示制御手段は、前記操作受付手段が前記第１の操作を受け付けたことに応じて前記複数の表示部の少なくとも１つの表示状態を切り替える場合、前記選択手段によって選択されうる候補となっている前記表示部の表示状態と、前記選択手段によって選択されうる候補となっていない前記表示部の表示状態とが異なるように、前記複数の表示部を制御する
請求項５に記載の携帯端末装置。
【請求項７】
前記複数の表示部の少なくとも１つは、表示手段と入力手段とが一体に構成されており、
前記選択手段は、前記表示部の前記入力手段に操作体が接触したことに応じて、選択されうる候補となる前記表示部を切り替える
請求項１から６のいずれか１項に記載の携帯端末装置。
【請求項８】
前記表示制御手段が、１つのソフトウェアを用いて複数の前記表示部にコンテンツを表示させている場合、前記画像データ生成手段は、前記複数の表示部それぞれに表示された画面を合成して、前記画像データを生成する
請求項１から７のいずれか１項に記載の携帯端末装置。
【請求項９】
前記表示制御手段が、１つのソフトウェアを用いて複数の前記表示部にコンテンツを表示させている場合、前記選択手段は、前記操作受付手段が前記第１の操作を受け付けた回数に応じて、前記複数の表示部のうちの１つ以上を選択し、さらに、前記複数の表示部のうちの２つ以上を選択した場合に、前記画像データ生成手段によって前記選択された２つ以上の表示部それぞれに表示された画面を合成するか否かを選択する
請求項２に記載の携帯端末装置。
【請求項１０】
１つ以上のソフトウェアを用いて、携帯端末装置に設けられた、画像を表示する複数の表示部の少なくとも１つにコンテンツを表示させ、
前記複数の表示部のうちの１つ以上を選択し、
前記選択された前記表示部に表示された画面を示す画面データを取得し、
前記取得された前記画面データに基づいて、画像データを生成する
画像生成方法。
【請求項１１】
使用者による第１の操作を受け付け、
前記第１の操作を受け付けた回数に応じて、前記複数の表示部のうちの１つ以上を選択する
請求項１０に記載の画像生成方法。
【請求項１２】
１つ以上のソフトウェアを用いて、携帯端末装置に設けられた、画像を表示する複数の表示部の少なくとも１つにコンテンツを表示させる表示ステップと、
前記複数の表示部のうちの１つ以上を選択する選択ステップと、
前記選択ステップにおいて選択された前記表示部に表示された画面を示す画面データを取得する表示画面取得ステップと、
前記表示画面取得ステップにおいて取得された前記画面データに基づいて、画像データを生成する画像データ生成ステップと
を前記携帯端末装置のコンピュータに実行させるプログラム。
【請求項１３】
使用者による第１の操作を受け付ける操作受付ステップ
を前記携帯端末装置のコンピュータに実行させ、
前記選択ステップにおいて、前記操作受付ステップにおいて前記第１の操作を受け付けた回数に応じて、前記複数の表示部のうちの１つ以上を選択する
請求項１２に記載のプログラム。
【手続補正３】
【補正対象書類名】明細書
【補正対象項目名】０００１
【補正方法】変更
【補正の内容】
【０００１】
本発明は、携帯端末装置、画像生成方法及びプログラムに関し、特に、表示された画面を示す画像データを生成する携帯端末装置、画像生成方法及びプログラムに関する。
【手続補正４】
【補正対象書類名】明細書
【補正対象項目名】０００６
【補正方法】変更
【補正の内容】
【０００６】
本発明の目的は、このような課題を解決するためになされたものであり、表示部の選択状態に応じて、容易に、ソフトウェアを用いて表示部に表示された画面を示すデータを生成することが可能な携帯端末装置、画像生成方法及びプログラムを提供することにある。
【手続補正５】
【補正対象書類名】明細書
【補正対象項目名】０００９
【補正方法】変更
【補正の内容】
【０００９】
本発明にかかるプログラムは、１つ以上のソフトウェアを用いて、携帯端末装置に設けられた、画像を表示する複数の表示部の少なくとも１つにコンテンツを表示させる表示ステップと、前記複数の表示部のうちの１つ以上を選択する選択ステップと、前記選択ステップにおいて選択された前記表示部に表示された画面を示す画面データを取得する表示画面取得ステップと、前記表示画面取得ステップにおいて取得された前記画面データに基づいて、画像データを生成する画像データ生成ステップとを前記携帯端末装置のコンピュータに実行させるものである。
【手続補正６】
【補正対象書類名】明細書
【補正対象項目名】００１０
【補正方法】変更
【補正の内容】
【００１０】
本発明によれば、表示部の選択状態に応じて、容易に、ソフトウェアを用いて表示部に表示された画面を示すデータを生成することが可能な携帯端末装置、画像生成方法及びプログラムを提供できる。
【国際調査報告】
2014136400.tif 000027
2014136400.tif 000028
2014136400.tif 000029
2014136400.tif 000030